(57)【要約】【構成】フェリカ回路２８は、揮発性のＲＡＭ２８ａに格納された共振パラメータ値を参照して無線通信を実行する。ＣＰＵ２６は、ユーザによるフェリカ電源オン／オフ操作に応答してフェリカ回路２８をオン／オフする。ＣＰＵ２６はまた、フェリカ電源オン／オフ操作に対応するフェリカ設定情報を不揮発性のフラッシュＥＥＰＲＯＭ２０に書き込む。ＣＰＵ２６は、電源供給が開始されたとき、フラッシュＥＥＰＲＯＭ２０に格納されたフェリカ設定情報に対応してフェリカ回路２８をオン／オフする。フラッシュＥＥＰＲＯＭ２０に予め格納された共振パラメータ値は、フェリカ回路２８の起動に関連して、ＣＰＵ２６によってＲＡＭ２８ａに複製される。【効果】電源供給が再開された後のフェリカ回路２８の状態を電源供給が停止される前の状態と一致させることができるとともに、良好な無線通信を実現することができる。【選択図】図１
2008193593.tif 000002
【特許請求の範囲】
【請求項１】
揮発性の第１メモリに格納されたパラメータ値を参照して無線通信を実行する第１通信手段、
ユーザによる起動／停止操作に応答して前記第１通信手段を起動／停止する第１制御手段、
前記起動／停止操作に対応する起動／停止情報を前記第１制御手段の制御処理に関連して不揮発性の第２メモリに書き込む書き込み手段、
電源供給が行われたとき前記第２メモリに格納された起動／停止情報に対応して前記第１通信手段を起動／停止する第２制御手段、および
前記第２メモリに予め格納されたパラメータ値を前記第１制御手段または前記第２制御手段による前記第１通信手段の起動に関連して前記第１メモリに複製する複製手段を備える、無線通信機。
【請求項２】
前記ユーザの操作に従う動作を実行する動作手段、および
電源投入操作に応答して前記動作手段を起動する起動手段をさらに備え、
前記第２制御手段は前記電源投入操作に先立って制御処理を実行する、請求項１記載の無線通信機。
【請求項３】
前記第１通信手段は第１通信方式に従い、
前記動作手段は第２通信方式に従う無線通信を実行する第２通信手段を含む、請求項１または２記載の無線通信機。
【請求項４】
前記第１通信手段によって参照されるパラメータ値は共振周波数を定義する、請求項１ないし３のいずれかに記載の無線通信機。
【請求項５】
揮発性の第１メモリに格納されたパラメータ値を参照して無線通信を実行する第１通信手段を備える無線通信機のプロセサに、
ユーザによる起動／停止操作に応答して前記第１通信手段を起動／停止する第１制御ステップ、
前記起動／停止操作に対応する起動／停止情報を前記第１制御ステップの制御処理に関連して不揮発性の第２メモリに書き込む書き込みステップ、
電源供給が行われたとき前記第２メモリに格納された起動／停止情報に対応して前記第１通信手段を起動／停止する第２制御ステップ、および
前記第２メモリに予め格納されたパラメータ値を前記第１制御ステップまたは前記第２制御ステップによる前記第１通信手段の起動に関連して前記第１メモリに複製する複製ステップを実行させるための、通信制御プログラム。
【請求項６】
揮発性の第１メモリに格納されたパラメータ値を参照して無線通信を実行する第１通信手段を備える無線通信機によって実行される通信制御方法であって、
ユーザによる起動／停止操作に応答して前記第１通信手段を起動／停止する第１制御ステップ、
前記起動／停止操作に対応する起動／停止情報を前記第１制御ステップの制御処理に関連して不揮発性の第２メモリに書き込む書き込みステップ、
電源供給が行われたとき前記第２メモリに格納された起動／停止情報に対応して前記第１通信手段を起動／停止する第２制御ステップ、および
前記第２メモリに予め格納されたパラメータ値を前記第１制御ステップまたは前記第２制御ステップによる前記第１通信手段の起動に関連して前記第１メモリに複製する複製ステップを備える、通信制御方法。
【発明の詳細な説明】
【技術分野】
【０００１】
この発明は、無線通信機に関し、特にたとえばメモリに格納された共振パラメータ値に基づいて共振特性を調整する、無線通信機に関する。
【背景技術】
【０００２】
この種の背景技術の一例が、特許文献１に開示されている。特許文献１によれば、アンテナおよびこれに並列接続可能な複数のコンデンサが、非接触型ＩＣカードに設けられる。非接触型ＩＣカードにはまた、複数のコンデンサにそれぞれ対応する複数のスイッチ，スイッチ切替回路および不揮発性のメモリが設けられる。スイッチ切替回路は、メモリに記憶された切替パターンに適合するように、複数のスイッチのオン／オフを設定する。こうして、非接触型ＩＣカードの共振特性が最適化され、良好な無線通信が実現される。
【特許文献１】特開２００６−２４４２１４号公報［G06K 19/07, B42D 15/10, G06K 17/00］
【発明の開示】
【発明が解決しようとする課題】
【０００３】
しかし、背景技術で採用される不揮発性のメモリはＲＡＭのような揮発性のメモリよりも高価であり、これがコスト上昇の要因となる。
【０００４】
それゆえに、この発明の主たる目的は、揮発性メモリ上のパラメータ値を利用した良好な無線通信を実現することができる、無線通信機を提供することである。
【課題を解決するための手段】
【０００５】
請求項１の発明に従う無線通信機(10：実施例で相当する参照符号。以下同じ)は、揮発性の第１メモリ(28a)に格納されたパラメータ値を参照して無線通信を実行する第１通信手段(28)、ユーザによる起動／停止操作に応答して第１通信手段を起動／停止する第１制御手段(S35, S41)、起動／停止操作に対応する起動／停止情報を第１制御手段の制御処理に関連して不揮発性の第２メモリ(20)に書き込む書き込み手段(S39, S43)、電源供給が行われたとき第２メモリに格納された起動／停止情報に対応して第１通信手段を起動／停止する第２制御手段(S7, S9)、および第２メモリに予め格納されたパラメータ値を第１制御手段または第２制御手段による第１通信手段の起動に関連して第１メモリに複製する複製手段(S11, S37)を備える。
【０００６】
第１通信手段は、揮発性の第１メモリに格納されたパラメータ値を参照して無線通信を実行する。第１制御手段は、ユーザによる起動／停止操作に応答して第１通信手段を起動／停止する。書き込み手段は、起動／停止操作に対応する起動／停止情報を第１制御手段の制御処理に関連して不揮発性の第２メモリに書き込む。第２制御手段は、電源供給が開始されたとき、第２メモリに格納された起動／停止情報に対応して第１通信手段を起動／停止する。第２メモリに予め格納されたパラメータ値は、第１制御手段または第２制御手段による第１通信手段の起動に関連して、複製手段によって第１メモリに複製される。
【０００７】
したがって、第１通信手段は、ユーザ操作に応答して起動／停止されるとともに、電源供給が行われたときに起動／停止される。電源供給が行われたときの起動／停止は、ユーザ操作に対応する起動／停止情報を参照して実行される。これによって、電源供給が行われた後の第１通信手段の状態を、電源供給が停止される前の状態と一致させることができる。
【０００８】
また、不揮発性の第２メモリに予め格納されたパラメータ値は第１通信手段の起動に関連して揮発性の第１メモリに複製され、第１通信手段は第１メモリに格納されたパラメータ値を参照して無線通信を実行する。これによって、良好な無線通信を実現することができる。
【０００９】
請求項２の発明に従う無線通信機は、請求項１に従属し、ユーザの操作に従う動作を実行する動作手段(14, 22)、および電源投入操作に応答して動作手段を起動する起動手段(17)をさらに備え、第２制御手段は電源投入操作に先立って制御処理を実行する。
【００１０】
請求項３の発明に従う無線通信機は、請求項１または２に従属し、第１通信手段は第１通信方式に従い、動作手段は第２通信方式に従う無線通信を実行する第２通信手段(14)を含む。
【００１１】
請求項４の発明に従う無線通信機は、請求項１ないし３のいずれかに従属し、第１通信手段によって参照されるパラメータ値は共振周波数を定義する。
【００１２】
請求項５の発明に従う通信制御プログラムは、揮発性の第１メモリ(28a)に格納されたパラメータ値を参照して無線通信を実行する第１通信手段(28)を備える無線通信機(10)のプロセサ(26)に、ユーザによる起動／停止操作に応答して第１通信手段を起動／停止する第１制御ステップ(S35, S41)、起動／停止操作に対応する起動／停止情報を第１制御ステップの制御処理に関連して不揮発性の第２メモリ(20)に書き込む書き込みステップ(S39, S43)、電源供給が行われたとき第２メモリに格納された起動／停止情報に対応して第１通信手段を起動／停止する第２制御ステップ(S7, S9)、および第２メモリに予め格納されたパラメータ値を第１制御ステップまたは第２制御ステップによる第１通信手段の起動に関連して第１メモリに複製する複製ステップ(S11, S37)を実行させるための、通信制御プログラムである。
【００１３】
請求項１発明と同様、電源供給が行われた後の第１通信手段の状態を電源供給が停止される前の状態と一致させることができるとともに、良好な無線通信を実現することができる。
【００１４】
請求項６の発明に従う通信制御方法は、揮発性の第１メモリ(28a)に格納されたパラメータ値を参照して無線通信を実行する第１通信手段(28)を備える無線通信機(10)によって実行される通信制御方法であって、ユーザによる起動／停止操作に応答して第１通信手段を起動／停止する第１制御ステップ(S35, S41)、起動／停止操作に対応する起動／停止情報を第１制御ステップの制御処理に関連して不揮発性の第２メモリ(20)に書き込む書き込みステップ(S39, S43)、電源供給が行われたとき第２メモリに格納された起動／停止情報に対応して第１通信手段を起動／停止する第２制御ステップ(S7, S9)、および第２メモリに予め格納されたパラメータ値を第１制御ステップまたは第２制御ステップによる第１通信手段の起動に関連して第１メモリに複製する複製ステップ(S11, S37)を備える。
【００１５】
請求項１発明と同様、電源供給が行われた後の第１通信手段の状態を電源供給が停止される前の状態と一致させることができるとともに、良好な無線通信を実現することができる。
【発明の効果】
【００１６】
この発明によれば、第１通信手段は、ユーザ操作に応答して起動／停止されるとともに、電源供給が行われたときに起動／停止される。電源供給が行われたときの起動／停止は、ユーザ操作に対応する起動／停止情報を参照して実行される。これによって、電源供給が行われた後の第１通信手段の状態を、電源供給が停止される前の状態と一致させることができる。また、不揮発性の第２メモリに予め格納されたパラメータ値は第１通信手段の起動に関連して揮発性の第１メモリに複製され、第１通信手段は第１メモリに格納されたパラメータ値を参照して無線通信を実行する。これによって、良好な無線通信を実現することができる。
【００１７】
この発明の上述の目的，その他の目的，特徴および利点は、図面を参照して行う以下の実施例の詳細な説明から一層明らかとなろう。
【発明を実施するための最良の形態】
【００１８】
図１を参照して、この実施例の携帯通信端末１０は、メイン電源回路３６を含む。メイン電源回路３６は、着脱自在のバッテリ４０に基づくメイン電源を、直接ＣＰＵ２６に供給しかつスイッチ群３８を介してシステム全体（フェリカ回路２８を除く）に供給する。バッテリ４０の電圧は電圧検出回路３４によって検出され、検出結果はＣＰＵ２６に通知される。
【００１９】
バッテリ４０の電圧が既定の起動電圧を上回る状態で、ユーザがキー入力装置２４上でメイン電源オン操作を行うと、ＣＰＵ２６は、スイッチ群３８をオフ状態からオン状態に切り換える。この結果、フェリカ回路２８を除くシステム全体が起動する。
【００２０】
この状態でキー入力装置２４によって発呼操作が行われると、ＣＰＵ２６は、ＣＤＭＡ方式に対応する無線通信回路１４を制御して発呼信号を出力する。出力された発呼信号は、アンテナ１２から放出され、基地局を含む移動通信網を経て通話相手の電話機に送信される。通話相手が着呼操作を行うと、通話可能状態が確立される。
【００２１】
通話可能状態に移行した後にキー入力装置２４によって通話終了操作が行われると、ＣＰＵ２６は、無線通信回路１４を制御して、通話相手に通話終了信号を送信する。通話終了信号の送信後、ＣＰＵ２６は、通話処理を終了する。先に通話相手から通話終了信号を受信した場合も、ＣＰＵ２６は、通話処理を終了する。また、通話相手によらず、移動通信網から通話終了信号を受信した場合も、ＣＰＵ２６は通話処理を終了する。
【００２２】
システム全体が起動している状態で通話相手からの発呼信号がアンテナ１２によって捉えられると、無線通信回路１４は、着信をＣＰＵ２６に通知する。ＣＰＵ２６は、着信通知に記述された発信元情報をＬＣＤ２２から出力し、図示しない着信通知用のスピーカから着信音を出力する。キー入力装置２４によって着呼操作が行われると、通話可能状態が確立される。
【００２３】
通話可能状態では、次のような処理が実行される。通話相手から送られてきた変調音声信号（高周波信号）は、アンテナ１２によって捉えられる。捉えられた変調音声信号は、無線通信回路１４によって復調処理および復号処理を施される。これによって得られた受話音声信号は、スピーカ１８から出力される。
【００２４】
マイクロフォン１６によって取り込まれた送話音声信号は、無線通信回路１４によって符号化処理および変調処理を施される。これによって生成された変調音声信号は、上述と同様、アンテナ１２を利用して通話相手に送信される。
【００２５】
フェリカ回路２８は、“FeliCa”（登録商標）と呼ばれる非接触ＩＣカード技術に沿って構成された近距離無線通信回路であり、読み取り端末（図示せず）にかざすことで料金の精算などのデータのやり取りが行われる。フェリカ電源回路３２は、バッテリ４０の電圧に基づいてフェリカ電源を生成する。生成されたフェリカ電源は、スイッチ３０を介してフェリカ回路２８に供給される。
【００２６】
バッテリ４０が装着され、かつこのバッテリ４０の電圧が起動電圧を上回るとき、ＣＰＵ２６は、フェリカ設定情報をフラッシュＥＥＰＲＯＭ２０から読み出す。読み出されたフェリカ設定情報が“オン”を示すとき、ＣＰＵ２６はスイッチ３０をオン状態に設定する。一方、読み出されたフェリカ設定情報が“オフ”を示すとき、ＣＰＵ２６はスイッチ３０をオフ状態に設定する。
【００２７】
ＣＰＵ２６はまた、読み出されたフェリカ設定情報が“オン”を示すとき、フラッシュＥＥＰＲＯＭ２０に記憶された共振パラメータ値をフェリカ回路２８に設けられたＲＡＭ２８ａに複製する。フェリカ回路２８は、複製された共振パラメータ値を参照してＬＣ共振周波数を調整する。これによって、共振特性つまり無線通信特性が最適化される。
【００２８】
なお、共振パラメータ値は、携帯通信端末１０を出荷する前の検査工程でフラッシュＥＥＰＲＯＭ２０に記憶される。
【００２９】
フェリカ回路２８を除くシステム全体が起動している状態では、フェリカ電源オン操作およびフェリカ電源オフ操作がキー入力装置２４を通して受け付けられる。ＣＰＵ２６は、フェリカ電源オン操作が行われたときスイッチ３０をオン状態に設定する一方、フェリカ電源オフ操作が行われたときスイッチ３０をオフ状態に設定する。ＣＰＵ２６はまた、フェリカ電源オン操作が行われたとき、フラッシュＥＥＰＲＯＭ２０に記憶された共振パラメータ値をフェリカ回路２８に設けられたＲＡＭ２８ａに複製する。
【００３０】
フェリカ回路２８は、具体的には図２に示すように構成される。スイッチＳＷ１の一方端，スイッチＳＷ２の一方端およびスイッチＳＷ３の一方端は、インダクタＬ１の一方端に共通接続される。スイッチＳＷ１の他方端，スイッチＳＷ２の他方端およびスイッチＳＷ３の他方端は、キャパシタＣ１の一方端，キャパシタＣ２の一方端およびキャパシタＣ３の一方端にそれぞれ接続される。キャパシタＣ１の他方端，キャパシタＣ２の他方端およびキャパシタＣ３の他方端は、インダクタＬ１の他方端に共通接続される。スイッチ制御回路２８ｂは、ＲＡＭ２８ａに格納された共振パラメータ値に従ってスイッチＳＷ１〜ＳＷ３のオン／オフを設定する。これによって、ＬＣ共振周波数が最適値に設定される。読み取り端末とのデータのやり取りは、通信回路２８ｃによって実行される。
【００３１】
ＣＰＵ２６は、図３に示すメインタスクおよび図４に示すフェリカ制御タスクを含む複数のタスクを並列的に実行する。なお、これらのタスクに対応する制御プログラムは、フラッシュＥＥＰＲＯＭ２０に記憶される。
【００３２】
図３を参照して、ステップＳ１ではバッテリ４０の電圧が起動電圧を上回るか否かを判別する。ここでＮＯであれば処理を終了し、ＹＥＳであればステップＳ３でフェリカ設定情報をフラッシュＥＥＰＲＯＭ２０から読み出す。ステップＳ５では、読み出されたフェリカ設定情報が“オン”および“オフ”のいずれを示すかを判別する。フェリカ設定情報が“オフ”を示していれば、ステップＳ７でフェリカ回路２８をオフする（スイッチ３０をオフする）。一方、フェリカ設定情報が“オン”を示していれば、ステップＳ９でフェリカ回路２８をオンし（スイッチ３０をオンし）、ステップＳ１１で共振パラメータ値をフラッシュＥＥＰＲＯＭ２０からＲＡＭ２８ａに複製する。
【００３３】
ステップＳ７またはＳ１１の処理が完了すると、メイン電源オン操作が行われたか否かをステップＳ１３で判別し、バッテリ４０の電圧が起動電圧を上回るか否かをステップＳ１５で判別する。ステップＳ１３でＹＥＳであればステップＳ１７に進み、ステップＳ１５でＮＯであれば処理を終了する。ステップＳ１７では、フェリカ制御タスクを含む全てのタスクを起動する。
【００３４】
ステップＳ１９ではメイン電源オフ操作が行われたか否かを判別し、ステップＳ２１ではバッテリ４０の電圧が起動電圧を上回るか否かを判別する。ステップＳ１９でＹＥＳと判別されるか、あるいはステップＳ２１でＮＯと判別されると、ステップＳ２３でフェリカ制御タスクを含む全てのタスクを停止させてから処理を終了する。
【００３５】
図４を参照して、ステップＳ３１ではフェリカ電源オン操作が行われたか否かを判別し、ステップＳ３３ではフェリカ電源オフ操作が行われたか否かを判別する。ステップＳ３１でＹＥＳであればステップＳ３５〜Ｓ３９の処理を経てステップＳ３１に戻り、ステップＳ３３でＹＥＳであればステップＳ４１〜Ｓ４３の処理を経てステップＳ３１に戻る。
【００３６】
ステップＳ３５ではフェリカ回路２８をオンし（スイッチ３０をオンし）、ステップＳ３７では共振パラメータ値をフラッシュＥＥＰＲＯＭ２０からＲＡＭ２８ａに複製し、ステップＳ３９ではフラッシュＥＥＰＲＯＭ２０に記憶されたフェリカ設定情報を“オン”に変更する。ステップＳ４１ではフェリカ回路２０をオフし（スイッチ３０をオフし）、ステップＳ４３ではフラッシュＥＥＰＲＯＭ２０に記憶されたフェリカ設定情報を“オフ”に変更する。
【００３７】
以上の説明から分かるように、フェリカ回路２８は、揮発性のＲＡＭ２８ａ（第１メモリ）に格納された共振パラメータ値を参照して無線通信を実行する。ＣＰＵ２６は、ユーザによるフェリカ電源オン／オフ操作（起動／停止操作）に応答してフェリカ回路２８をオン／オフ（起動／停止）する(S35, S41)。ＣＰＵ２６はまた、フェリカ電源オン／オフ操作に対応するフェリカ設定情報（起動／停止情報）を不揮発性のフラッシュＥＥＰＲＯＭ２０（第２メモリ）に書き込む(S39, S43)。ＣＰＵ２６は、電源供給が開始されたとき、フラッシュＥＥＰＲＯＭ２０に格納されたフェリカ設定情報に対応してフェリカ回路２８をオン／オフ（起動／停止）する(S7, S9)。フラッシュＥＥＰＲＯＭ２０に予め格納された共振パラメータ値は、フェリカ回路２８の起動に関連して、ＣＰＵ２６によってＲＡＭ２８ａに複製される(S11, S37)。
【００３８】
したがって、フェリカ回路２８は、ユーザ操作に応答してオン／オフされるとともに、電源供給が再開されたときにオン／オフされる。電源供給が再開されたときのオン／オフは、ユーザ操作に対応するフェリカ設定情報を参照して実行される。これによって、電源供給が再開された後のフェリカ回路２８の状態を、電源供給が停止される前の状態と一致させることができる。
【００３９】
また、フラッシュＥＥＰＲＯＭ２０に予め格納された共振パラメータ値はフェリカ回路２８の起動に関連してＲＡＭ２８ａに複製され、フェリカ回路２８はＲＡＭ２８ａに格納された共振パラメータ値を参照して無線通信を実行する。これによって、良好な無線通信を実現することができる。
【００４０】
なお、この実施例では、フェリカ回路を携帯通信端末に搭載するようにしているが、フェリカ回路はゲーム機や計算機のような他のＰＤＡ(Personal Digital Assistance)に搭載するようにしてもよい。
【図面の簡単な説明】
【００４１】
【図１】この発明の一実施例の構成を示すブロック図である。
【図２】図１実施例に適用されるフェリカ回路の構成の一例を示す図解図である。
【図３】図１実施例に適用されるＣＰＵの動作の一部を示すフロー図である。
【図４】図１実施例に適用されるＣＰＵの動作の他の一部を示すフロー図である。
【符号の説明】
【００４２】
１０  …携帯通信端末
１４  …無線通信回路
２２  …フラッシュＥＥＰＲＯＭ
２８  …フェリカ回路
３０  …ＣＰＵ
３２  …キー入力装置
３６  …フェリカ用電源回路
４０  …メイン電源回路
【図１】
2008193593.tif 000003
【図２】
2008193593.tif 000004
【図３】
2008193593.tif 000005
【図４】
2008193593.tif 000006